(57)【要約】【課題】  昇降路の広さ等に制約がある場合でも、高速走行時における乗りかごと釣り合い重り、または隣合う乗りかご同士のすれ違いで生じる振動を抑制し、乗り心地を向上すること。【解決手段】  乗り場が設けられた昇降路内を、乗りかご２１および釣り合い重り２が相反する方向に昇降する。乗りかご２１は、かご室３の上下部に、それぞれ乗り場側に鉛直面を有し、かつ乗り場側に直交する側の側面とかご室背面側の側面のうち、少なくとも一方の側面に傾斜面を有する整風カプセル４，５が設けられている。この整風カプセル４，５の傾斜面のうち、釣り合い重り２に対向する側または隣合うエレベータ乗りかごに対向する側の傾斜面に、傾斜面と間隔を存して整風板１０，１１が設けられ、乗りかご２１と釣り合い重り２とのすれ違い時、または乗りかご同士のすれ違い時に、整風板の存在により生じる圧力が、すれ違いにより生じる加振力と反対方向の力を生じさせる。【選択図】  図１
2005053635.tif 000002
【特許請求の範囲】
【請求項１】
乗り場が設けられた昇降路内を、乗りかごおよび釣り合い重りが相反する方向に昇降するエレベータにおいて、前記乗りかごは、かご室の上下部に、それぞれ前記乗り場側に鉛直面を有し、かつ前記乗り場側に直交する側の側面と前記かご室背面側の側面のうち、少なくとも一方の側面に傾斜面を有する整風カプセルが設けられ、この整風カプセルの傾斜面のうち、前記釣り合い重りに対向する側または隣合うエレベータ乗りかごに対向する側の傾斜面に、前記傾斜面と間隔を存して整風板が設けられていることを特徴とするエレベータ。
【請求項２】
乗り場が設けられた昇降路内を、乗りかごおよび釣り合い重りが相反する方向に昇降するエレベータにおいて、前記乗りかごは、かご室の上下部に、それぞれ前記乗り場側に鉛直面を有し、かつ前記乗り場側に直交する側の側面と前記かご室背面側の側面のうち、少なくとも一方の側面に傾斜面を有する整風カプセルが設けられ、前記かご室の側面または整風カプセルの側面のうち、前記釣り合い重りに対向する側面に対して直交する側面または隣合うエレベータ乗りかごに対向する側面に対して直交するかご室背面側の整風カプセルの側面に、前記釣り合い重りに対向する方向に対して直交する方向または隣合うエレベータ乗りかごに対向する方向に対して直交する方向に延びるように整風板が設けられていることを特徴とするエレベータ。
【請求項３】
請求項２に記載のエレベータにおいて、前記整風板は、前記整風カプセルの傾斜面の傾斜方向と反対方向に傾斜して設けられていることを特徴とするエレベータ。
【請求項４】
請求項１ないし３のいずれかに記載のエレベータにおいて、前記整風板は、断面形状が翼断面形状に構成されていることを特徴とするエレベータ。
【請求項５】
請求項１ないし３のいずれかに記載のエレベータにおいて、前記整風板は、表面にブラシ状の被覆が施されていることを特徴とするエレベータ。
【請求項６】
請求項１ないし３のいずれかに記載のエレベータにおいて、前記釣り合い重りは、前記乗りかごと対向する面に貫通孔が形成されていることを特徴とするエレベータ。
【請求項７】
乗り場が設けられた昇降路内を、乗りかごおよび釣り合い重りが相反する方向に昇降するエレベータにおいて、前記乗りかごは、かご室の上下部に、それぞれ前記乗り場側に鉛直面を有し、かつ前記乗り場側に直交する側の側面と前記かご室背面側の側面のうち、少なくとも一方の側面に傾斜面を有する整風カプセルが設けられ、前記釣り合い重りは、前記のりかごと対向する面に貫通孔が形成されていることを特徴とするエレベータ。
【請求項８】
請求項６または７に記載のエレベータにおいて、前記釣り合い重りの貫通孔は、少なくとも釣り合い重りの上部および下部の２ヶ所に設けられていることを特徴とするエレベータ。
【請求項９】
請求項６または７に記載のエレベータにおいて、前記釣り合い重りの貫通孔は、前記釣り合い重りの幅方向中間部に位置して、その上部から下部まで連続して形成されていることを特徴とするエレベータ。
【発明の詳細な説明】
【技術分野】
【０００１】
本発明は、昇降路内を昇降する乗りかごと、この乗りかごと重量の釣り合いを保つために設けられた釣り合い重りまたは隣合うエレベータの乗りかごとのすれ違い時に生じる加振力を低減するエレベータに関する。
【背景技術】
【０００２】
乗りかごが高速で昇降するエレベータにおいては、かご室の上下部に風の抵抗を低減する整風カプセルが取付けられている。従来の整風カプセルを有するエレベータの乗りかごの状況を、図１２を参照して説明する。図１２は従来のエレベータにおける乗りかごと釣り合い重りの関係を示す斜視図である。乗りかご１は、かご室３の上下部に整風カプセル４，５が取付けられている。この整風カプセル４，５は、昇降路の乗り場（図示せず）側に対向する側面４ａ，５ａに鉛直面を有し、乗り場側に対向する側面４ａ，５ａに直交する側の両側面４ｂ，５ｂとかご室３背面側の側面４ｃ，５ｃの一方または両方に傾斜面を有している。
【０００３】
かご室３は、乗り場側に対向する側面３ａにかごドア６を備え、乗り場側のドア（図示せず）と連動して開閉動作し、乗客の出入りを可能にしている。かご室３は、このかごドア６による隙間があるため、乗りかご１が走行中に空気を巻き込み、かご室３内の騒音の発生原因となる。そのため整風カプセル４，５は、このかごドア６の有る側の側面４ａ，５ａを鉛直面とし、他の３つの側面４ｂ，４ｃまたは５ｂ，５ｃを傾斜面とした構造とすることで、かごドア６への空気の巻き込みを最小限に抑えている。
【０００４】
乗りかご１は、その頂部に乗りかご１を吊り上げるための吊りロープ（図示せず）の一端部が結合され、この吊りロープの他端部は、昇降路頂部の巻上機（図示せず）を介して釣り合い重り２と結合されている。乗りかご１と釣り合い重り２は、巻上機の動作により昇降路内を相反する方向に走行して昇降している。
【０００５】
乗りかご１と釣り合い重り２は、互いの走行によりすれ違う際に、空気力学的な加振力を互いに及ぼし合う。図１３に乗りかご１と釣り合い重り２とのすれ違い時における乗りかご１に加わる加振力の時間データと加振力の向きを模式的に表した図を示す。この図１３から、乗りかご１と釣り合い重り２とのすれ違いが始まる瞬間（図示左側）では、互いに逆方向の力を受け、乗りかご１と釣り合い重り２が重なるタイミング（図示中央）では、最大の力で互いが引き寄せられ、最後にすれ違いが終了する瞬間（図示右側）では、互いを引き付ける力が消滅して弾かれている様子が分かる。
【０００６】
この乗りかご１と釣り合い重り２とのすれ違い時における加振力の大きさを図１３に示す加振力（最大値−最小値）の大きさと定義し、走行速度（Ｖ）と加振力（Ｆ）の大きさとの関係のグラフを図１４に、加振力（Ｆ）と乗りかご−釣り合い重り間の距離（Ｌ）との関係のグラフを図１５に示す。これら２図から、乗りかご１の走行速度が速いほど、また乗りかご１と釣り合い重り２の距離が狭いほど、乗りかご１に加わる加振力は大きくなり、かご室３内部の乗客に不快感をもたらすことが分かる。
【０００７】
一方、乗りかご１と釣り合い重り２とのすれ違いのほかに、１つの昇降路に複数台の乗りかごが存在する併設エレベータの場合、隣合うエレベータ乗りかごがすれ違う際にも同様の空気力学的な加振力が生じ、双方の乗りかご内部の乗客に不快感をもたらす。
【０００８】
従来、これらの対策として、乗りかご１と釣り合い重り２、または隣合う乗りかご同士の距離を拡大したり、整風カプセル４，５の形状をより滑らかにすること等により、発生する加振力の大きさを抑制する対策が取られている。
【発明の開示】
【発明が解決しようとする課題】
【０００９】
しかしながら、近年、高速エレベータにおいても、建屋側の制約により、十分な広さの昇降路が確保できないため、乗りかご１と釣り合い重り２、または隣合う複数の乗りかご同士の距離を拡大することが難しい状況にある。また整風カプセル４，５を滑らかな形状とするためには高さ寸法を拡大しなければならないが、上記のように建屋側の制約により、ある程度以上にはできない。
【００１０】
本発明は、上記の課題を解決するためになされたもので、昇降路の広さ等に制約がある場合でも、高速走行時における乗りかごと釣り合い重り、または隣合う乗りかご同士のすれ違いで生じる振動を抑制し、乗り心地を向上することのできるエレベータを提供することを目的とする。
【課題を解決するための手段】
【００１１】
本発明の態様は次のとおりである。
【００１２】
（１）乗り場が設けられた昇降路内を、乗りかごおよび釣り合い重りが相反する方向に昇降するエレベータにおいて、乗りかごは、かご室の上下部に、それぞれ乗り場側に鉛直面を有し、かつ乗り場側に直交する側の側面とかご室背面側の側面のうち、少なくとも一方の側面に傾斜面を有する整風カプセルが設けられ、この整風カプセルの傾斜面のうち、釣り合い重りに対向する側または隣合うエレベータ乗りかごに対向する側の傾斜面に、傾斜面と間隔を存して整風板が設けられていることを特徴とする。
【００１３】
上記のような構成とすることにより、乗りかごと釣り合い重りとのすれ違い時、または乗りかご同士のすれ違い時に、整風板の存在により生じる圧力が、すれ違いにより生じる加振力と反対方向の力を生じさせることで、高速走行時における乗りかごと釣り合い重り、または乗りかご同士のすれ違いで生じる振動を小さくすることができる。
【００１４】
（２）乗り場が設けられた昇降路内を、乗りかごおよび釣り合い重りが相反する方向に昇降するエレベータにおいて、乗りかごは、かご室の上下部に、それぞれ乗り場側に鉛直面を有し、かつ乗り場側に直交する側の側面とかご室背面側の側面のうち、少なくとも一方の側面に傾斜面を有する整風カプセルが設けられ、かご室の側面または整風カプセルの側面のうち、釣り合い重りに対向する側面に対して直交する側面または隣合うエレベータ乗りかごに対向する側面に対して直交するかご室背面側の整風カプセルの側面に、釣り合い重りに対向する方向に対して直交する方向または隣合うエレベータ乗りかごに対向する方向に対して直交する方向に延びるように整風板が設けられていることを特徴とする。
【００１５】
上記のような構成とすることにより、乗りかごと釣り合い重りとのすれ違い時、または乗りかご同士のすれ違い時に生じる互いに対向する側面間の圧力変動に対して整風板が抵抗となるため、高速走行時における乗りかごと釣り合い重り、または乗りかご同士のすれ違いで生じる振動を小さくすることができる。
【００１６】
（３）上記（２）において、整風板は、整風カプセルの傾斜面の傾斜方向と反対方向に傾斜して設けられていることを特徴とする。
【００１７】
上記のような構成とすることにより、乗りかごと釣り合い重りとのすれ違い時、または乗りかご同士のすれ違い時に、整風板により整風カプセルに生じる反力と逆方向の反力が生じて乗りかごに作用するため、乗りかごと釣り合い重り、または乗りかご同士のすれ違いで生じる加振力を緩和することができる。
【００１８】
（４）上記において、整風板は断面形状が翼断面形状に構成されていることが好ましい。
【００１９】
上記のような構成とすることにより、整風板により偏向された空気により生じる整風板後端部からの乱流の発生を抑え、この乱流により生じる風切り音の発生を最小限に抑えることができる。
【００２０】
（５）上記（１）ないし（３）のいずれかにおいて、整風板は、表面にブラシ状の被覆が施こされていることを特徴とする。
【００２１】
上記のような構成とすることにより、整風板により当る風が整風板表面のブラシ状の被覆により表面境界層内で風速が十分に減速されるため、風切り音の発生を最小限に抑えることができる。
【００２２】
（６）上記（１）ないし（３）のいずれかにおいて、釣り合い重りは、かご室と対向する面に貫通孔が形成されていることを特徴とする。
【００２３】
上記のような構成とすることにより、整風板を設けたことによる効果に加えて、釣り合い重りの貫通孔により、乗りかごと釣り合い重りとの空間が釣り合い重りの反対側の空間と繋がり、空間が事実上拡大されるため、発生する圧力変動を小さくすることができ、高速走行時における乗りかごと釣り合い重りのすれ違いで生じる振動を小さくすることができる。
【００２４】
（７）乗り場が設けられた昇降路内を、乗りかごおよび釣り合い重りが相反する方向に昇降するエレベータにおいて、乗りかごは、かご室の上下部に、それぞれ乗り場側に鉛直面を有し、かつ乗り場側に直交する側の側面とかご室背面側の側面のうち、少なくとも一方の側面に傾斜面を有する整風カプセルが設けられ、釣り合い重りは、乗りかごと対向する面に貫通孔が形成されていることを特徴とする。
【００２５】
上記のような構成とすることにより、釣り合い重りの貫通孔により、乗りかごと釣り合い重りとの空間が釣り合い重りの反対側の空間と繋がり、空間が事実上拡大されるため、発生する圧力変動を小さくすることができ、高速走行時における乗りかごと釣り合い重りのすれ違いで生じる振動を小さくすることができる。
【００２６】
（８）上記（６）または（７）において、釣り合い重りの貫通孔は、少なくとも釣り合い重りの上部および下部の２ヶ所に設けられていることを特徴とする。
【００２７】
上記のような構成とすることにより、乗りかごと釣り合い重りとの空間の時間的な変化が緩やかなものとなるため、高速走行時における乗りかごと釣り合い重りのすれ違いで生じる振動を小さくすることができる。
【００２８】
（９）上記（６）または（７）において、釣り合い重りの貫通孔は、釣り合い重りの幅方向中間部に位置して、その上部から下部まで連続して形成されていることを特徴とする。
【００２９】
上記のような構成とすることにより、乗りかごと釣り合い重りとの空間の時間的な変化を緩やかなものとし、乗りかごと釣り合い重りとの間の空間が釣り合い重りの反対側の空間と繋がり、空間が事実上拡大されるため、発生する圧力変動を小さくすることができ、高速走行時における乗りかごと釣り合い重りのすれ違いで生じる振動を小さくすることができる。
【発明の効果】
【００３０】
本発明によれば、建屋側の制約で十分な広さの昇降路が確保できないような場合でも、乗りかごと釣り合い重りとのすれ違い、または乗りかご同士のすれ違いなどで生じる加振力を低減することができるため、乗り心地のよいエレベータを提供することができる。
【発明を実施するための最良の形態】
【００３１】
以下、本発明の実施の形態について図面を参照して説明する。図１は本発明の第１実施の形態にかかるエレベータを示す斜視図、図２は一般的な乗りかごと釣り合い重りとのすれ違い時における力の授受関係を模式的に示す説明図、図３（ａ）は図２の主要部を拡大して示す説明図、図３（ｂ）は本発明の第１実施の形態における上部側整風カプセル部による加振力の低減効果を説明するための説明図である。
【００３２】
図１において、乗りかご２１は、吊りロープ７の一端部に結合されて吊下げられ、昇降路頂部に設けられた巻上機（図示せず）を介して吊りロープ７の他端部に結合された釣り合い重り２とともに、乗り場（図示せず）が設けられた昇降路内を相反する方向に昇降するようになっている。乗りかご２１は、かご室３の上下部に整風カプセル４，５が取付けられている。この整風カプセル４，５は、昇降路の乗り場側に対向する面（図示の奥行き側の面）には鉛直面を有し、乗り場側に対向する面に直交する側の両側面４ｂ，５ｂおよびかご室３背面側の側面４ｃ，５ｃには、少なくとも一方の側面に先細り形状となる傾斜面を有している。かご室３は、乗り場側に対向する面にかごドアを備え、乗り場側のドアと連動して開閉動作し、乗客の出入りを可能にしている。
【００３３】
整風カプセル４，５のうち、釣り合い重り２とすれ違う側である、かご室３の背面側の側面４ｃ，５ｃには、ブラケット８，９に固定された整風板１０，１１が取付けられている。この整風板１０，１１は、傾斜面である側面４ｃ，５ｃに対して間隔を存し、かつ傾斜面に沿うように配設されている。
【００３４】
次に上記第１実施の形態にかかるエレベータの作用効果について説明する。図２において、乗りかご１が下側から上側に走行する場合を考える。乗りかご１と釣り合い重り２の位置が離れている間、乗りかご１側から見ると、かご室３背面側に釣り合い重り２が通過する空間が空いているため、乗りかご１が走行する際に押しのける空気が、この空いた空間を通過している。しかし、乗りかご１と釣り合い重り２がすれ違う際には、この今まで空いていた空間が狭まり、その狭くなった空間を空気が通過しようとするために、乗りかご１および釣り合い重り２の双方に反力（加振力）が働く。この反力は乗りかご１の下面側に作用するため、乗りかご１には反時計方向の回転力が作用することになる。
【００３５】
すなわち、図３（ａ）に示すように、整風板のない従来の乗りかご１において、進行方向から風１２ａをほぼ垂直な向きで受けると、通常、整風カプセル４部でこの空気の流れをカプセル形状に沿う形で乗りかご１上部から下部へ逃している。しかし、この風１２ａは、釣り合い重りとすれ違いが始まる瞬間、空気の逃げ道が少なくなるため、風速が増大し、整風カプセル４の傾斜面にぶつかり、カプセル形状に沿わずにその向きを変える。向きの変わった風を符号１２ｂで示している。この風１２ｂにより整風カプセル４には反力１３が加振力として発生する。
【００３６】
これに対し、上記第１実施の形態のように、整風カプセル４の傾斜面に整風板１０を備えている場合には、図３（ｂ）に示すように、乗りかご２１は、進行方向から風１２ａを受けた場合、整風カプセル４の傾斜面部と整風板１０により整流された風１２ｃとして流れ、釣り合い重りとのすれ違い開始時には、より高速な一定した流れ場が形成される。この流れ場によりかご室３背面部には、負圧の発生による揚力が発生し反力１４を生じさせる。この反力１４は、反力１３とは反対方向の力となるために、釣り合い重りとのすれ違いの際に生じる加振力を緩和することができ、乗り心地を向上することができる。
【００３７】
上記の説明は、乗りかご２１の上昇方向の走行状態で説明したが、下降方向の走行状態においても同様であり、その際、下側の整風板１１が同様の作用を発揮する。
【００３８】
なお、整風板１０（および１１）の断面形状を、図３（ｂ）に示すように翼断面形状とすることにより、整風板１０により偏向された風１２ｃにより生じる整風板１０後端部からの乱流の発生を抑えることができる。そのため、釣り合い重りとのすれ違いの際に生じる加振力を緩和すると同時に、乱流により生じる風切り音の発生を最小限に抑えることができる。
【００３９】
また整風板１０（および１１）の表面にブラシ状の被覆を施すこともできる。このような構成とすることにより、整風板１０により当る風が整風板１０表面のブラシ状の被覆により表面境界層内で風速が十分に減速されるため、風切り音の発生を最小限に抑えることができる。
【００４０】
上記の説明は、乗りかご２１と釣り合い重り２のすれ違いで説明したが、１つの昇降路に２台以上併設されたエレベータ乗りかごが走行する場合は、隣合ったエレベータ乗りかごがすれ違う場合でも同様の現象が生じるので、この場合には、整風板１０，１１を隣のエレベータ乗りかごと向かい合う整風カプセルの傾斜面部に設けることで、同様の効果が発揮される。
【００４１】
次に本発明の第２実施の形態にかかるエレベータを説明する。図４は本発明の第２実施の形態にかかるエレベータの乗りかごを示す斜視図、図５（ａ），（ｂ）は、乗りかごと釣り合い重りとのすれ違い時における力の授受関係を模式的に示す説明図である。
【００４２】
本実施の形態では、乗りかご３１は、かご室３の上下部に整風カプセル４，５が設けられており、釣り合い重りと対向する側に直交するかご室３の両側面３ｂおよび整風カプセル４，５の両側面４ｂ，５ｂには、それぞれかご室３および整風カプセル４，５に連続して整風板１５，１５が取付けられている。この整風板１５，１５は、釣り合い重りに対向する方向に対して直交する方向に延びるように配設されている。
【００４３】
上記のように構成したエレベータにおいて、乗りかご３１が下側から上側に走行する場合を考える。図５（ａ）に示すように、乗りかご３１と釣り合い重り２がすれ違いを開始する瞬間、乗りかご３１側から見て、かご室３背面側の釣り合い重り２の占める空間が狭まるため、乗りかご３１と釣り合い重り２が反発する方向に反力１３が加振力として生じる。この反力１３は、乗りかご３１を図示右から左方向（出入り口方向）へ移動させようとする。乗りかご３１の両側面部に設けられた整風板１５から見ると、この左方向への移動は、整風板１５の左側の空気を右側に押しのけるように作用する。このとき、整風板１５と周りの空気との間に反力１３への反力１６を生じさせる。この反力１６は反力１３とは反対向きの力となるため、釣り合い重り２とのすれ違いの際に生じる加振力を緩和することになる。
【００４４】
次に乗りかご３１と釣り合い重り２とのすれ違い現象が進み、乗りかご３１と釣り合い重り２が横方向で重なる瞬間を考える。図５（ｂ）に示すように、乗りかご３１の背面側の空間が釣り合い重り２により大部分が塞がれてしまうため、残りの狭められた空間から空気が高速で移動する。そのため、乗りかご３１の背面全体にわたって負圧の領域が生成される。この負圧により乗りかご３１には吸引力１７が作用する。この吸引力１７は、乗りかご３１を左から右方向（背面方向）へ移動させようとする。乗りかご３１の両側面に設けられた整風板１５から見ると、この右方向の移動は整風板１５の右側の空気を左側に押しのけるように作用する。このとき、整風板１５の周りの空気との間に吸引力１７への反力１８を生じさせる。この反力１８は吸引力１７とは反対向きの力となるため、釣り合い重りとのすれ違いの際に生じる加振力を緩和することになり、乗りかご３１の乗り心地を向上させることになる。
【００４５】
なお、上記の説明は、乗りかご３１が上昇方向に走行する場合を例にとって説明したが、下降方向に走行する場合でも同様の効果が得られる。
【００４６】
また上記の説明は、乗りかごと釣り合い重りのすれ違いに対処する構成について説明したが、１つの昇降路に２台以上の併設エレベータの乗りかごが走行し、隣合うエレベータ乗りかごがすれ違う構成の場合でも同様の現象が生じ、この場合には、乗りかごのかご室背面側に位置する整風カプセルの傾斜側面部に整風板を設けることで対処することができる。この場合の実施の形態を図６に示す。図６は本発明の第３実施の形態にかかるエレベータの乗りかごを示す斜視図である。図６において、乗りかご４１のかご室３背面側に位置する上下部の整風カプセル４，５の側面４ｃ，５ｃ部に、それぞれ隣合うエレベータ乗りかごに対向する方向に対して直交する方向に延びるように配設された整風板１９，２０を設けることにより、隣合うエレベータ乗りかご同士のすれ違いに対処することができる。この場合、かご室３背面側の側面３ｃには、整風板１９，２０を設けないようにすることが望ましい。これはかご室３背面側近傍を釣り合い重りが走行するため、ここに整風板を設けると、かご室３と釣り合い重り間の間隔を広げる必要が生じるからである。
【００４７】
図７は本発明の第４実施の形態にかかるエレベータの乗りかごを示す説明図である。図７に示すように、乗りかご５１の整風カプセル４の両側面部に設ける整風板２１は、整風カプセル４の傾斜面と反対方向に傾斜させて設けることができる。すなわち、乗りかご５１は、上昇運転時に進行方向から相対的に風２２ａを受けている。この風２２ａは、乗りかご５１の整風カプセル４の傾斜面部に当り、風２２ｂで示すようにその方向が乱される。特に釣り合い重りとのすれ違い時には、図３に示す第１実施の形態で説明した通り、風速は増大し、反力１３が生じる。ここで、整風板２１は乗りかご５１の整風カプセル４の傾斜面部に、傾斜面とは反対方向に傾斜させて取付けられているため、乗りかご５１の走行中は、常に風２２ｃが整風板２１にあたり、反力２３を生成させる。また反力２３は、釣り合い重りとのすれ違い時には風２２ｃの風速の増大に伴い大きくなる。この反力２３は、整風カプセル４で生じる反力１３と逆方向の力として乗りかご５１に作用するため、釣り合い重りとのすれ違い時に生じる加振力を緩和することが可能となる。
【００４８】
また整風板２１は、乗りかご５１の傾斜面部に取付けられているために、乗りかごと釣り合い重りが横方向で重なる瞬間には、図５（ｂ）に示した実施の形態と同様に、釣り合い重りからの吸引力に対して反対方向の反力を生じさせるため、やはり加振力を緩和する効果を発揮し、乗り心地を向上することができる。
【００４９】
なお、上記第２ないし第４実施の形態において、整風板の断面形状を翼断面形状に形成したり、表面にブラシ状の被覆を施すこともできる。
【００５０】
次に本発明の第５実施の形態について図面を参照して説明する。図８は本発明の第５実施の形態にかかるエレベータに使用される釣り合い重りを示す斜視図、図９（ａ），（ｂ）はその効果を説明するための乗りかごと釣り合い重りとの関係を説明する図である。本実施の形態では、図８に示すように、釣り合い重り２４の乗りかごと対向する面に貫通孔２５，２５を形成したことを特徴とする。この貫通孔２５，２５は、少なくとも釣り合い重り２４の上下部の２ヶ所に設けられている。
【００５１】
図９（ａ）は釣り合い重りに貫通孔を設けていない場合を示し、図９（ｂ）は本実施の形態のように貫通孔を設けた場合を示している。
【００５２】
図９（ａ）に示すように、乗りかご１と釣り合い重り２４がすれ違いをしている間、乗りかご１と釣り合い重り２４の隙間２６には加速された空気流２７ａが生じる。この空気流２７ａは、隙間２６に負圧を生じさせ、乗りかご１と釣り合い重り２４を近付けさせようとする吸引力２８を生じさせる。吸引力２８は、乗りかご１と釣り合い重り２４のすれ違い時に生じる加振力の時間変化のシュミレーション（図２参照）によると、乗りかご１と釣り合い重り２４が最大に重なる瞬間が一番大きくなる。
【００５３】
この吸引力２８は、特に乗りかご１の形状が変化する整風カプセル４，５の近傍部２９ａ，２９ｂでは空気流がより速いため大きくなる。
【００５４】
これに対して図９（ｂ）に示すように、釣り合い重り２４の上下部に貫通孔２５，２５を有する場合、乗りかご１と釣り合い重り２４とのすれ違い時に整風カプセル部４，５の近傍部２９ａ，２９ｂに流れ込む空気流２７ｂの一部が貫通孔２５，２５を通して釣り合い重り２４の背面側に流出する。このため、整風カプセル４，５の近傍部２９ａ，２９ｂでの空気流２７ｂは、上記の空気流２７ａに対して抑えられ、その結果発生する負圧も貫通孔２５がない場合に対し小さくなる。そのため、乗りかご１にとって、釣り合い重り２４の貫通孔２５は、釣り合い重り１とのすれ違い時に生じる加振力を緩和する効果を発揮する。
【００５５】
この場合、図１０に示すように構成することもできる。図１０は本発明の第６実施の形態にかかるエレベータに使用される釣り合い重りを示す斜視図である。図１０において、本実施の形態では、釣り合い重り３４の幅方向中間部に位置させて、その上部から下部まで連続して貫通孔３５を設けたところに特徴を有する。このような構成とすることにより、釣り合い重り３４と乗りかごがすれ違う間、連続して乗りかごと釣り合い重り３４の間の空気流を釣り合い重り３４の背面側に流すことができるので、乗りかごにとって、よりすれ違い時に生じる加振力を緩和する効果を発揮する。
【００５６】
上記の第５および第６実施の形態は、釣り合い重りに貫通孔を形成することにより、乗りかご１の制振効果を図ったものであるが、この第５および第６実施の形態における釣り合い重り２４，３４側に貫通孔２５，３５を設ける構成と、例えば図１の第１実施の形態における乗りかご２１に整風板１０，１１を設ける構成を組合せることもできる。この各構成を組合せた場合に、乗りかご側への加振力に関するシュミレーションを行なった結果を図１１に示す。図１１は、横軸を乗りかご−釣り合い重り間の距離とし、縦軸を乗りかごと釣り合い重りのすれ違い時に乗りかご側に加わる加振力としたグラフである。
【００５７】
従来のエレベータの場合における特性を実線Ａで示し、上記の組合せ構成を備えた場合の特性を矢印Ｂで示す。上記の組合せ構成を有する場合に、従来の構成と同じ乗りかご−釣り合い重り間の距離（Ｌ＝Ｌ０）とした場合には、すれ違い時の加振力を約２０％程度低減することができ、この低減後の値と同じ加振力に相当する乗りかご−釣り合い重り間の距離Ｌ１は、Ｌ０の約２倍に相当する。このことは、上記の組合せ構成を採用した場合、従来構成の場合に比較して、乗りかご−釣り合い重り間の距離を２倍にしたのと同程度の加振力の低減効果が期待できるため、昇降路を広げることなく、より一層乗り心地の改善に繋げられることになる。
【図面の簡単な説明】
【００５８】
【図１】本発明の第１実施の形態にかかるエレベータを示す斜視図である。
【図２】一般的な乗りかごと釣り合い重りとのすれ違い時における力の授受関係を模式的に示す説明図である。
【図３】（ａ）は図２の主要部を拡大して示す説明図、（ｂ）は本発明の第１実施の形態における上部側整風カプセル部による加振力の低減効果を説明するための説明図である。
【図４】本発明の第２実施の形態にかかるエレベータの乗りかごを示す斜視図である。
【図５】（ａ），（ｂ）は、乗りかごと釣り合い重りとのすれ違い時における力の授受関係を模式的に示す説明図である。
【図６】本発明の第３実施の形態にかかるエレベータの乗りかごを示す斜視図である。
【図７】本発明の第４実施の形態にかかるエレベータの乗りかごを示す説明図である。
【図８】本発明の第５実施の形態にかかるエレベータに使用される釣り合い重りを示す斜視図である。
【図９】乗りかごと釣り合い重りとの関係を説明する説明図で、（ａ）は釣り合い重りに貫通孔を設けていない場合を示す図、（ｂ）は第５実施の形態のように貫通孔を設けた場合を示す図である。
【図１０】本発明の第６実施の形態にかかるエレベータに使用される釣り合い重りを示す斜視図である。
【図１１】横軸を乗りかご−釣り合い重り間の距離とし、縦軸を乗りかごと釣り合い重りのすれ違い時に乗りかご側に加わる加振力としたグラフである。
【図１２】従来のエレベータにおける乗りかごと釣り合い重りの関係を示す斜視図である。
【図１３】乗りかごと釣り合い重りとのすれ違い時における乗りかごに加わる加振力の時間データと加振力の向きを模式的に表した図である。
【図１４】走行速度（Ｖ）と加振力（Ｆ）の大きさの関係を示すグラフである。
【図１５】加振力（Ｆ）と乗りかご−釣り合い重り間の距離（Ｌ）との関係を示すグラフである。
【符号の説明】
【００５９】
１，２１，３１，４１，５１…乗りかご
２，２４，３４…釣り合い重り
３…かご室
３ａ，３ｂ，３ｃ…側面
４，５…整風カプセル
４ａ，４ｂ，４ｃ，５ａ，５ｂ，５ｃ…側面
６…かごドア
７…吊りロープ
８，９…ブラケット
１０，１１，１５、１９，２０，２１…整風板
１２ａ，１２ｂ，１２ｃ，２２ａ，２２ｂ，２２ｃ…風
１３，１４，１６，１８，２３…反力
１７，２８…吸引力
２５，３５…貫通孔
２６…隙間
２７ａ，２７ｂ…空気流
２９ａ，２９ｂ…近傍部
【図１】
2005053635.tif 000003
【図２】
2005053635.tif 000004
【図３】
2005053635.tif 000005
【図４】
2005053635.tif 000006
【図５】
2005053635.tif 000007
【図６】
2005053635.tif 000008
【図７】
2005053635.tif 000009
【図８】
2005053635.tif 000010
【図９】
2005053635.tif 000011
【図１０】
2005053635.tif 000012
【図１１】
2005053635.tif 000013
【図１２】
2005053635.tif 000014
【図１３】
2005053635.tif 000015
【図１４】
2005053635.tif 000016
【図１５】
2005053635.tif 000017